(57)【要約】【課題】  カードの発行と、カードロックへのデータ登録や履歴の吸い上げを１つの機器で行う。【解決手段】  データ入力兼用カード発行制御装置１は、各種情報が記憶されたカードを利用して客室等の施設の扉の施解錠を管理するカードロックシステムに用いられ、ベース部２と操作部３を備えて構成される。ベース部２は、操作部３がコネクタ接続により着脱可能とされ、操作部３がコネクタ接続されたときの操作部３からの各種情報をカードに書き込んでカードを発行する。操作部３は、ベース部２と操作部３との間の電気的な接続状態を判別し、この電気的な接続状態の判別結果に基づいてカードを発行するカード発行制御機モード又はカードロックへのデータ登録や履歴の吸い上げを行うデータ入力機モードとしてソフトが起動する。【選択図】    図２
2005242550.tif 000002
【特許請求の範囲】
【請求項１】
各種情報が記憶されたカードを利用して客室等の施設の扉の施解錠を管理するカードロックシステムに用いられるデータ入力兼用カード発行制御装置において、
前記各種情報を入力する操作部と、
前記操作部がコネクタ接続により着脱可能とされ、前記操作部がコネクタ接続されたときの該操作部からの前記各種情報をカードに書き込んでカードを発行するベース部とを備えており、
前記操作部は、前記ベース部と前記操作部との間の電気的な接続状態を判別し、この電気的な接続状態の判別結果に基づいて前記カードを発行するカード発行制御機モード又はカードロックへのデータ登録や履歴の吸い上げを行うデータ入力機モードとしてソフトが起動することを特徴とするデータ入力兼用カード発行制御装置。
【請求項２】
前記ベース部が電源部を備えており、
前記操作部は、前記電源部からの電源信号の有無によって前記ベース部と前記操作部との間の電気的な接続状態を判別することを特徴とする請求項１記載のデータ入力兼用カード発行制御装置。
【発明の詳細な説明】
【技術分野】
【０００１】
本発明は、例えばホテルの宿泊時にチェックイン／アウトの日時、ホテルコード、客室番号などの各種情報が記憶されたカードの発行、各客室のカードロックへのデータ登録（電気錠の解錠許可情報）や履歴の吸い上げを１台で行うことができるデータ入力兼用カード発行制御装置に関するものである。
【背景技術】
【０００２】
例えばホテルでは、客の宿泊時にチェックインからチェックアウトまでを１枚のカード（磁気カードやＩＣカード）で管理するカードロックシステムを採用している。
【０００３】
このカードロックシステムでは、各客室扉にカードロックが配置されている。カードロックは、扉に配設されたエスカチオン（座金）にカード内の情報を読み取るためのカードリーダを装備している。このカードリーダのカード挿入口に挿入されるカードには、例えばチェックイン／アウトの日時、ホテルコード、客室番号などの情報がチェックイン時にホテル従業員によるカード発行制御機の操作によって書き込まれ、記憶されるようになっている。
【０００４】
そして、客がホテルに宿泊する場合には、客がフロントでチェックインの手続きを済ませると、上記カード発行制御機によって発行された１枚のカードがホテル従業員から客に手渡される。カードが手渡された客は、宿泊する部屋の扉に設置されたカードリーダのカード挿入口にカードを挿入すると、そのカード内の情報が読み込まれる。そして、読み込まれた情報が入室を許可して良い情報と判断されると、その部屋の扉の電気錠が自動的に解錠制御され、開扉が可能となる。これにより、カードを所持する客はその部屋に入室することができる。そして、宿泊客は、発行されたカードを用いることで、上記カードロックの解錠の他、クレジットカードとの連携により、ホテル内の費用の決済のすべてが１枚のカードで可能となっている。なお、下記特許文献１には、上記のように各種情報が記憶されたカードを用いてホテルの客室等の施設の扉の施解錠を管理するカードロックシステムが開示されている。
【特許文献１】特開平８−２３２５１６号公報
【発明の開示】
【発明が解決しようとする課題】
【０００５】
ところで、特許文献１を含め、従来のカードロックシステムに使用されるカード発行制御機は、例えばホテルのフロントに配置され、ホテルで使用される専用機である。また、各客室のカードロックへのデータ登録（電気錠の解錠許可情報）や履歴の吸い上げを各客室扉毎に行う場合には、客室扉まで容易に持ち運びが可能な携帯型のデータ入力機が専用機として用いられていた。
【０００６】
従って、従来のカードロックシステムでは、カード発行制御機とデータ入力機がそれぞれ別々の専用機で構成されるため、容易に持ち運びができた上で、カードの発行と、カードロックへのデータ登録や履歴の吸い上げを１つの機器で行うことができなかった。
【０００７】
そこで、本発明は上記問題点に鑑みてなされたものであって、カードの発行と、カードロックへのデータ登録や履歴の吸い上げを１つの機器で行え、用途に応じて使い分けができる使い勝手の良いデータ入力兼用カード発行制御装置を提供することを目的としている。
【課題を解決するための手段】
【０００８】
上記目的を達成するため、請求項１に記載された発明は、各種情報が記憶されたカードを利用して客室等の施設の扉の施解錠を管理するカードロックシステムに用いられるデータ入力兼用カード発行制御装置において、
前記各種情報を入力する操作部と、
前記操作部がコネクタ接続により着脱可能とされ、前記操作部がコネクタ接続されたときの該操作部からの前記各種情報をカードに書き込んでカードを発行するベース部とを備えており、
前記操作部は、前記ベース部と前記操作部との間の電気的な接続状態を判別し、この電気的な接続状態の判別結果に基づいて前記カードを発行するカード発行制御機モード又はカードロックへのデータ登録や履歴の吸い上げを行うデータ入力機モードとしてソフトが起動することを特徴とする。
【０００９】
請求項２に記載された発明は、請求項１のデータ入力兼用カード発行制御装置において、
前記ベース部が電源部を備えており、
前記操作部は、前記電源部からの電源信号の有無によって前記ベース部と前記操作部との間の電気的な接続状態を判別することを特徴とする。
【発明の効果】
【００１０】
本発明のデータ入力兼用カード発行制御装置によれば、カードの発行、各客室のカードロックへのデータ登録（電気錠の解錠許可情報）や履歴の吸い上げを用途に応じて１台で使い分けることができる。また、ベース部からの電源信号の有無によってベース部と操作部の電気的接続を操作部側で判別することによりベース部の回路構成を簡素化することができる。
【発明を実施するための最良の形態】
【００１１】
図１（ａ），（ｂ）は本発明に係るデータ入力兼用カード発行制御装置の外観を示す平面図、図２は同データ入力兼用カード発行制御装置の電気的構成を示す図、図３は同データ入力兼用カード発行制御装置の動作フローチャート、図４（ａ），（ｂ）は同データ入力兼用カード発行制御装置の使用例を示す説明図である。
【００１２】
本例のデータ入力兼用カード発行制御装置１は、図１に示すように、ベース部２と操作部３を備えて概略構成され、各種情報が記憶されたカードを利用して例えばホテルの客室等の施設の扉の施解錠を管理するカードロックシステムに採用される。
【００１３】
本例のデータ入力兼用カード発行制御装置１は、操作部３単体、またはベース部２と操作部３のセットで使用され、ベース部２単体では機能しないように構成されている。
【００１４】
ベース部２は、操作部３とセットで使用した際に、操作部３からの各種情報（例えばチェックイン／アウトの日時、ホテルコード、客室番号、顧客情報など）の入力により客に手渡すカードを発行している。
【００１５】
ベース部２は、図２に示すように、電源部２ａ、データ読書部２ｂ、コネクタ部２ｃを備えている。ベース部２は、図１に示すように、操作部３が着脱される板状の取付部２ｄの側部に矩形状のデータ読書部２ｂが配置されている。
【００１６】
電源部２ａは、データ読書部２ｂに必要な駆動電源を供給している。また、電源部２ａは、ベース部２に操作部３がコネクタ接続された状態で、コネクタ部２ｃを介して操作部３に必要な駆動電源を供給している。
【００１７】
データ読書部２ｂは、電源部２ａから電源供給を受けて駆動する例えばスワイプ式の磁気カードリーダー／ライターで構成される。このスワイプ式の磁気カードリーダー／ライターは、手動スワイプ式のため、図１に示すように、発行するカード（磁気カード）４をスライドさせるための長溝からなるスリット２ｅが本体２ｆに形成されている。また、手動により磁気カード４をスリット２ｅ内でスライドさせた際、磁気カード４の磁気面に位置して磁気ヘッドが内蔵されている。スワイプ式の磁気カードリーダー／ライターでは、ホテル従業員が操作部３を操作し、例えばチェックイン／アウトの日時、ホテルコード、客室番号、顧客情報などの各種情報を設定入力した後、手動により磁気カード４をスリット２ｅ内でスライドさせると、磁気カード４の磁気面に各種情報を書き込み、チェックイン時に客に手渡されるカード（磁気カード）４を発行している。
【００１８】
操作部３は、カードを発行する際の例えばチェックイン／アウトの日時、ホテルコード、客室番号、顧客情報などの各種情報の入力の他、カードロック５へのデータ（電気錠の解錠許可情報：例えばホテルコード、客室番号など）登録や履歴（入退室時間など）吸い上げを行うものである。
【００１９】
操作部３は、図２に示すように、電源スイッチ３ａ、充電池３ｂ、入力部３ｃ、制御部（ＣＰＵ）３ｄ、表示部３ｅ、コネクタ部３ｆを備えている。この操作部３は、図１に示すように、ベース部２に一体化させて使用する際に、ベース部２の取付部２ｄにコネクタ接続される。
【００２０】
電源スイッチ３ａは、操作部３を使用する際に、ユーザーの手動操作によりスイッチをＯＮすることにより充電池３ｂから各部に必要な駆動電源が供給される。
【００２１】
充電池３ｂは、電源スイッチ３ａがＯＮし、操作部３がベース部２に接続された状態で、ベース部２の電源部２ａからコネクタ部２ｃ，３ｆを介して入力される電源を充電しており、各部に必要な駆動電源を供給している。
【００２２】
入力部３ｃは、テンキーや各種入力キーを備えており、ユーザーのキー操作によりカード発行、各客室のカードロック５へのデータ登録（電気錠の解錠許可情報）や履歴の吸い上げを行う際の各種入力情報が入力される。
【００２３】
制御部３ｄは、ＣＰＵおよびＲＯＭ，ＲＡＭなどで構成され、入力部３ｃからの入力情報の記憶、入力情報に応じて表示部３ｅの表示制御を行う他、操作部３がベース部２にコネクタ接続された状態で、入力情報をコネクタ部３ｆを介してベース部２に出力している。また、制御部３ｃは、操作部３がベース部２にコネクタ接続された状態で、ベース部２の電源部２ａからの電源信号（接続信号）の有無に応じてベース部２と操作部３の接続状態を判別し、この接続状態の判別結果に基づいてカード発行制御機モード又はデータ入力機モードとしてソフトを起動している。さらに、制御部３ｄは、データ入力機モード時にカードロック５から吸い上げた情報を記憶している。
【００２４】
表示部３ｅは、例えば液晶表示装置などで構成され、制御部３ｄの制御により入力部３ｃからの入力情報に応じてカード発行制御機モード又はデータ入力機モードを実行するための各種表示を行っている。
【００２５】
コネクタ部３ｆは、操作部３をベース部２に一体化させて使用する際に、ベース部２のコネクタ部２ｃに電気的に接続される。本例では、操作部３の背面の略中央にコネクタ部３ｆが設けられ、カード発行制御機モード時にベース部２の取付部２ｄに設けられたコネクタ部２ｃに接続される。
【００２６】
上記のように構成されるデータ入力兼用カード発行制御装置１の動作について図３および図４を参照しながら説明する。操作部３の電源スイッチ３ａがオンすると（ＳＴ１）、操作部３の制御部３ｄがベース部２からの接続信号の有無（電源部２ａからの電源供給の有無）を判別する（ＳＴ２）。操作部３の制御部３ｄは、操作部３がベース部２にコネクタ接続されていて、ベース部２から接続信号有り（電源供給有り）と判断すると（ＳＴ２−Ｙｅｓ）、カード発行制御機モードとしてソフトを起動する（ＳＴ３）。その後、カード発行制御機モードとしてユーザーによるオペレーションが開始される（ＳＴ４）。カード発行制御機モードは、ベース部２と操作部３をセットで使用してカードの発行を行うモードである。このカード発行制御機モードでは、図４（ａ）に示すように、べース部２に操作部３をコネクタ接続した状態で、操作部３から各種情報を入力し、データ読書部２ｂであるスワイプ式の磁気カードリーダー／ライターに発行前の磁気カード４をスワイプさせて磁気カード４に各種情報を書き込む。これにより、チェックインを済ませた客に手渡されるカードが発行される。
【００２７】
これに対し、操作部３の制御部３ｄは、例えばベース部２に対して操作部３が未接続またはコネクタ接続が不完全であって、ベース部２から接続信号無し（電源供給無し）と判断すると（ＳＴ２−Ｎｏ）、データ入力機モードとしてソフトを起動する（ＳＴ５）。その後、データ入力機モードとしてユーザーによるオペレーションが開始される（ＳＴ４）。データ入力機モードは、操作部３単体で各客室のカードロック５へのデータ登録（電気錠の解錠許可情報）や履歴の吸い上げを行うモードである。このデータ入力機モードでは、図４（ｂ）に示すように、ベース部２から操作部３を取り外して操作部３のみを単体で用い、操作部３の表示部３ｅの表示画面の指示に従って入力部３ｃをキー操作する。
【００２８】
このように、本例のデータ入力兼用カード発行制御装置１では、データ読書部２ｂを実装したベース部２に対し、入力部３ｃや表示部３ｅを備えた操作部３が着脱可能にコネクタ接続される構成となっている。そして、操作部３の制御部３ｄがベース部２からの接続信号（電源部２ａからの電源信号）の有無に応じてベース部２と操作部３の接続状態を判別し、この接続状態の判別結果に基づいてカード発行制御機モード又はデータ入力機モードとしてソフトが起動するようになっている。
【００２９】
そして、カード発行を行う場合には、べース部２に操作部３をコネクタ接続すれば、操作部３がベース部２との接続を認識し、カード発行制御機モードとしてソフトが起動する。この状態で、操作部３から各種情報を入力し、データ読書部２ｂであるスワイプ式の磁気カードリーダー／ライターに発行前の磁気カード４をスワイプさせてカードに各種情報を書き込む。これに対し、各客室のカードロック５へのデータ登録（電気錠の解錠許可情報）や履歴の吸い上げを行う場合には、操作部３をベース部２から取り外す。これにより、操作部３がベース部２との未接続を認識し、データ入力機モードとしてソフトが起動する。この状態で、操作部３の表示部３ｅの表示画面の指示に従って入力部３ｃのキー操作を行う。
【００３０】
このように、本例のデータ入力兼用カード発行制御装置１によれば、カードの発行や各客室のカードロック５へのデータ登録（電気錠の解錠許可情報）や履歴の吸い上げを１台で行うことができる。しかも、操作部３がベース部２に対してコネクタ接続により極めて簡単に着脱できるので、カード発行を行う場合には、ベース部２に操作部３をコネクタ接続し一体化させた状態でフロントなどに設置しておき、操作部３のみを使用して客室のカードロック５へのデータ登録（電気錠の解錠許可情報）や履歴の吸い上げを行う際には、ベース部２から操作部３のみを分離させて容易に持ち運びが行え、用途に応じて使い分けることができる。また、ベース部２の電源部２ａからの電源信号の有無によってベース部２と操作部３の電気的接続を操作部３側で判別しているので、ベース部２を電源部２ａとデータ読書部２ｂのみで構成でき、回路構成を簡素化することができる。
【００３１】
ところで、上述した実施の形態では、操作部３がコネクタ接続されている状態でベース部２から操作部３に出力される接続信号を電源部２ａからの電源信号として説明した。これにより、ベース部２の回路構成の簡略化を図り、操作部３の制御部３ｄの制御によりデータ読書部２ｂを制御してカードの発行を行っている。しかし、接続信号は上記電源信号に限定されるものではなく、例えばベース部２にもＣＰＵおよびＲＯＭ，ＲＡＭ等で構成される制御部を設け、操作部３がコネクタ接続されたときに前記制御部から接続信号を出力する構成としても良い。また、ベース部２に前記制御部を設けた場合には、ベース部２と操作部３のコネクタ接続時に、操作部３の制御部３ｄから接続信号を出力し、この接続信号に対するベース部２の制御部からの応答信号によってベース部２と操作部３の接続状態を判別することもできる。
【図面の簡単な説明】
【００３２】
【図１】（ａ）  本発明に係るデータ入力兼用カード発行制御装置を構成するベース部と操作部が分離した状態を示す平面図である。  （ｂ）  本発明に係るデータ入力兼用カード発行制御装置を構成するベース部と操作部が接続された状態を示す平面図である。
【図２】本発明に係るデータ入力兼用カード発行制御装置の電気的構成を示す図
【図３】本発明に係るデータ入力兼用カード発行制御装置の動作フローチャート
【図４】（ａ），（ｂ）  本発明に係るデータ入力兼用カード発行制御装置の使用例を示す説明図である。
【符号の説明】
【００３３】
１  データ入力兼用カード発行制御装置
２  ベース部
２ａ  電源部
２ｂ  データ読書部
２ｃ  コネクタ部
２ｄ  取付部
２ｅ  スリット
２ｆ  本体
３  操作部
３ａ  電源スイッチ
３ｂ  充電池
３ｃ  入力部
３ｄ  制御部
３ｅ  表示部
３ｆ  コネクタ部
４  磁気カード
５  カードロック
【図１】
2005242550.tif 000003
【図２】
2005242550.tif 000004
【図３】
2005242550.tif 000005
【図４】
2005242550.tif 000006